(57)【要約】【課題】処理時間の短縮を図る。【解決手段】通帳にある磁気ストライプを磁気ヘッドが検出すると、この磁気ヘッドで搬送中の通帳の磁気ストライプから記録情報をリードする。また、ページマーク・印字ラインセンサが見開きページからページマーク情報や印字ラインを検出すると、搬送中の通帳からページマーク情報や印字済み行数を光学的に読み取る。磁気ヘッドによる磁気ストライプの読み取りとページマーク・印字ラインセンサによるページマーク情報や印字済み行数の読み取りは略同時的に行われ、磁気ヘッドが磁気ストライプを読み取っている最中にページマーク・印字ラインセンサがページマーク情報の読み取りを行う期間がある。【選択図】  図５
2005049984.tif 000002
【特許請求の範囲】
【請求項１】
一方の面にデータを印字記録する欄を設け、他方の面に所望の情報を磁気記録する磁気ストライプを設けた記録媒体を一方向に搬送し、印字部にて印字記録欄にデータ印字を行った後、逆方向に搬送して排出する記録処理装置において、
搬送路の途中に搬送方向の位置を固定して配置し、搬送される前記記録媒体の磁気ストライプに対する情報のリード・ライトを行う磁気ヘッドと、搬送路の途中に搬送方向の位置を固定して配置し、搬送される前記記録媒体の一方の面から記録情報を読み取る光学センサとを設けたことを特徴とする記録処理装置。
【請求項２】
一方の面にデータを印字記録する欄を設け、他方の面に所望の情報を磁気記録する磁気ストライプを設けた記録媒体を一方向に搬送し、印字部にて印字記録欄にデータ印字を行った後、逆方向に搬送して排出する記録処理装置において、
搬送路の途中に搬送方向の位置を固定して配置し、搬送される前記記録媒体の磁気ストライプに対する情報のリード・ライトを行う磁気ヘッドと、搬送路の途中に前記磁気ヘッドとは離間して搬送方向の位置を固定して配置し、搬送される前記記録媒体の一方の面から記録情報を読み取る光学センサとを設け、
前記磁気ヘッドと光学センサとの位置関係を、少なくとも前記磁気ヘッドが磁気ストライプに対する情報のリード・ライトを行っている期間と前記光学センサが記録情報を読み取っている期間が一部重なるような位置関係にしたことを特徴とする記録処理装置。
【請求項３】
一方の面にデータを印字記録する欄を設け、他方の面に所望の情報を磁気記録する磁気ストライプを設けた記録媒体を一方向に搬送し、印字部にて印字記録欄にデータ印字を行った後、逆方向に搬送して排出する記録処理装置において、
搬送路の途中に搬送方向の位置を固定して配置し、搬送される前記記録媒体の磁気ストライプに対する情報のリード・ライトを行う磁気ヘッドと、搬送路を間に介して前記磁気ヘッドと対向した位置に、搬送方向の位置を固定して配置し、搬送される前記記録媒体の一方の面から記録情報を読み取る光学センサとを設け、
前記磁気ヘッド及び光学センサの少なくとも一方を、搬送される前記記録媒体を押圧するように上下動可能にしたことを特徴とする記録処理装置。
【発明の詳細な説明】
【０００１】
【発明の属する技術分野】
本発明は、通帳などの冊子状記録媒体や伝票等のシート状記録媒体に対して印字を行う記録処理装置に関する。
【０００２】
【従来の技術】
例えば、通帳は見開きページに預かり金額や各種の引き出し金額、残金額などのデータを記帳し、表紙の裏面側に、例えば、口座番号、口座の種類、ページ情報、ページ内の印字済み行数などの情報を記録した磁気ストライプが設けられている。そして、このような通帳に記帳を行う印字装置としては、通帳を記帳すべきページを開いた状態で挿入すると、その通帳を一方向に搬送し、途中、見開きページに印刷されているページマーク情報をセンサで読み取り、その後、搬送を一旦停止させて磁気ストライプに記録されている情報を磁気ヘッドで読み取り、最後に印字ヘッドでデータを所定の行から印字記録し、印字が終了すると、通帳を排出方向に搬送させ、途中磁気ストライプの記録情報が更新されるものが知られている（例えば、特許文献１参照）。
【０００３】
【特許文献１】
特開平９−１３４３９７号公報（段落「００４２」〜「００５４」、図４，図５）
【０００４】
【発明が解決しようとする課題】
しかしながら、この公報のものは、ページマーク情報をセンサで読み取った後、通帳の搬送を停止させ、この状態で磁気ヘッドにより磁気ストライプの情報を読み取るという構成になっているため、ページマーク情報の読み取りによる処理を行ってから磁気ストライプの情報を読み取って処理を行うまでの処理に時間が掛かり、その結果全体としての処理時間が長くなるという問題があった。
本発明は、処理時間の短縮を図ることができる記録処理装置を提供する。
【０００５】
【課題を解決するための手段】
本発明は、一方の面にデータを印字記録する欄を設け、他方の面に所望の情報を磁気記録する磁気ストライプを設けた記録媒体を一方向に搬送し、印字部にて印字記録欄にデータ印字を行った後、逆方向に搬送して排出する記録処理装置において、搬送路の途中に搬送方向の位置を固定して配置し、搬送される記録媒体の磁気ストライプに対する情報のリード・ライトを行う磁気ヘッドと、搬送路の途中に搬送方向の位置を固定して配置し、搬送される記録媒体の一方の面から記録情報を読み取る光学センサとを設けたことにある。
【０００６】
【発明の実施の形態】
以下、本発明の、一実施の形態を、図面を参照して説明する。なお、この実施の形態は記録媒体として、冊子状記録媒体である通帳を使用したものについて述べる。
図１は記録処理装置全体の構成を概略的に示したもので、装置本体１の一端略中央に通帳２を挿入、排出するための挿排口３を設け、この挿排口３から装置本体１の他端側に向かって通帳２の搬送路４が形成されている。
【０００７】
前記挿排口３には通帳２が、記帳すべきページが見開き状態で挿入されるようになっている。前記通帳２は、例えば、図２の（ａ）に表紙の表と裏を示し、図２の（ｂ）に見開きページを示すように、他方の面となる表紙の裏面側に磁気ストライプ５を横方向に設け、一方の面となる見開きページにページマーク情報６を印刷すると共にデータの印字記録欄７を縦方向に設けている。この通帳２は横形の通帳と呼ばれ、挿排口３に対して磁気ストライプ５が搬送方向に沿うように横向きで、かつ見開きページが上向きになるようにして挿入されるようになっている。
【０００８】
前記搬送路４の途中に、前記挿排口３の近くに通帳の挿入及び排出を検出する挿排センサ８を配置している。そして、通帳２を前記挿排口３から挿入し、通帳２の搬送方向先端（挿入方向先端）を前記挿排センサ８が検出すると前記搬送路４に配置した搬送ローラ（図示せず）が駆動して通帳２を図中実線の矢印で示す挿入方向に搬送を開始するようになっている。
【０００９】
前記搬送路４の途中に、挿入方向から見て前記挿排センサ８の下流側で搬送路４の下方に位置して、前記通帳２の磁気ストライプ５に対する情報のリードやライトを行う磁気ヘッド９を配置している。前記磁気ヘッド９は前記通帳２の搬送方向に対しては位置が固定され、かつ、上下に対しては所定の距離だけ移動可能になっている。前記磁気ストライプ５には、例えば、口座番号、口座の種類、ページマーク情報、ページ内の印字済み行数などの情報を記録するようになっている。
【００１０】
前記搬送路４の途中に、挿入方向から見て前記磁気ヘッド９の下流側で搬送路４の上方に位置して、前記通帳２の見開きページに印刷記録されているページマーク情報６と印字記録欄７に印字された印字済み行数を検出する光学センサ、すなわち、ページマーク・印字ラインセンサ１０を固定配置している。そして、このページマーク・印字ラインセンサ１０に対向して搬送路４の下方に上下動可能な押圧ローラ１１を配置し、前記通帳２が通過する時にこの押圧ローラ１１を上方に動かして通帳２をページマーク・印字ラインセンサ１０に密着させるようにしている。
【００１１】
前記磁気ヘッド９とページマーク・印字ラインセンサ１０との位置関係は、少なくとも前記磁気ヘッド９が磁気ストライプ５に対する情報のリード・ライトを行っている期間と前記ページマーク・印字ラインセンサ１０がページマーク情報６や印字された印字済み行数を読み取っている期間が一部重なるような位置関係になっている。
【００１２】
前記搬送路４の途中に、挿入方向から見て前記ページマーク・印字ラインセンサ１０の下流側に位置して搬送される通帳２の先端を検出する位置センサ１２を配置している。そして、この位置センサ１２のさらに下流側に前記通帳２の印字記録欄７に対する印字を行う印字ヘッド１３とプラテン１４を有する印字部を配置している。挿入方向から見て前記印字ヘッド１３のさらに下流、すなわち、装置本体１の他端部に、通帳２の見開きページのデータ印字欄７に対する印字が最後の行に達した時にこの通帳２のページ捲りを行うページ捲り機構１５を配置している。
【００１３】
前記印字ヘッド１３による通帳２へのデータの印字が終了すると、今度は搬送ローラ（図示せず）が逆方向に回転駆動して前記通帳２を図中点線の矢印で示すように排出方向へ搬送するようになっている。
【００１４】
図３は制御部の構成を示すブロック図で、２１は制御部本体を形成するマイクロプロセッサで、このマイクロプロセッサ２１にＲＡＭやハードディスク等からなるメモリ２２、Ｉ／Ｏポート２３，２４を接続している。前記Ｉ／Ｏポート２３には、前記挿排センサ８、磁気ヘッド９、ページマーク・印字ラインセンサ１０及び位置センサ１２が接続され、前記Ｉ／Ｏポート２４には、前記印字ヘッド１３、ページ捲り機構１５及び搬送ローラを回転駆動する搬送モータ２５が接続されている。
【００１５】
前記搬送モータ２５は、正逆転が可能なステッピングモータからなり、通帳２の搬送量をステップ数で制御できるようになっている。前記メモリ２２にはカウンタ２２ａが設けられている。前記マイクロプロセッサ２１は、前記位置センサ１２が通帳２の先端を検出してから印字記録欄７の印字開始位置が前記印字ヘッド１３の位置に達するまでの搬送量を演算しステッピングモータのステップ数で求め、そのステップ数を前記カウンタ２２ａにセットするようにしている。そして、通帳２が位置センサ１２を通過してからステップ数を所定のタイミングで減算カウントさせ、そのステップ数がゼロになった時に通帳２の搬送を停止するようになっている。この時、印字記録欄７の印字開始位置が前記印字ヘッド１３の位置に位置決めされる。
【００１６】
前記マイクロプロセッサ２１は、図５に示す流れ図に基づいて通帳２に対する記帳処理を行うようになっている。先ず、Ｓ１にて、挿排センサ８が通帳２の挿入を検出すると、Ｓ２にて、搬送モータ２５を正転駆動して通帳の挿入方向の搬送を開始させる。そして、Ｓ３にて、通帳２の裏表紙にある磁気ストライプ５を磁気ヘッド９が検出すると、Ｓ４にて、この磁気ヘッド９で搬送中の通帳２の磁気ストライプ５から記録情報をリードする。マイクロプロセッサ２１はこのリードした情報を前記メモリ２２に記憶させる。
【００１７】
続いて、Ｓ５にて、ページマーク・印字ラインセンサ１０が見開きページから記録情報、すなわち、ページマーク情報や印字ラインを検出すると、Ｓ６にて、搬送中の通帳２からページマーク情報や印字済み行数を光学的に読み取る。マイクロプロセッサ２１はこの読み取った情報を前記メモリ２２に記憶させる。
【００１８】
前記磁気ヘッド９による磁気ストライプ５の読み取りとページマーク・印字ラインセンサ１０によるページマーク情報や印字済み行数の読み取りは略同時的に行われ、前記磁気ヘッド９が磁気ストライプ５を読み取っている最中にページマーク・印字ラインセンサ１０がページマーク情報の読み取りを行う期間がある。
【００１９】
続いて、Ｓ７にて、位置センサ１２が通帳２の先端を検出すると、Ｓ８にて、この通帳２の印字開始位置が前記印字ヘッド１３の位置まで到達する搬送量を算出し、その搬送量をステッピングモータのステップ数に換算しカウンタ２２ａにセットする。すなわち、予めページマーク・印字ラインセンサ１０により印字済み行数を読み取っているので、通帳の先端から印字開始位置までの搬送量は算出できる。また、位置センサ１２と印字ヘッド１３との距離は決まっている。従って、通帳２の印字開始位置が印字ヘッド１３の位置まで到達するまでの搬送量は算出できる。
【００２０】
そして、通帳２を搬送しつつカウンタ２２ａにセットしたステップ数をカウントダウンし、ステップ数がゼロになると、Ｓ９にて、通帳２の印字開始位置が印刷位置に到達したことを判断し、Ｓ１０にて、通帳２の搬送を停止させ、Ｓ１１にて、通帳２に対する印字処理を行う。印字処理中に、Ｓ１２にて、ページ捲りが必要であることを判断すると、Ｓ１３にて、通帳２をページ捲り機構１５に送り込んでページ捲りを行う。
【００２１】
その後、Ｓ１４にて、印字の終了を判断すると、Ｓ１５にて、搬送モータ２５を逆回転駆動して通帳２の排出方向の搬送を開始させる。そして、Ｓ１６にて、ページマーク・印字ラインセンサ１０が見開きページから記録情報を検出すると、Ｓ１７にて、ページマーク情報を読み取るとともに新たに追加された印字ライン数を読み取ってメモリ２２に記憶する。
【００２２】
続いて、Ｓ１８にて、磁気ヘッド９が磁気ストライプ５を検出すると、Ｓ１９にて、この磁気ヘッド９で磁気ストライプ５の記録情報を書き直す。すなわち、磁気ヘッド９はページマーク・印字ラインセンサ１０が読み取ったページマーク情報及び追加された印字ライン数の情報に従って磁気ストライプ５の記録情報を書き直す。このとき通帳２は排出方向に搬送したまま記録情報を書き直す。そして、書き直しが終了すると、通帳２を挿入方向に搬送して書き直した記録情報をリードして正しく書き込まれたかをチェックし、正しく書き込まれたことを確認すると、通帳２を再び排出方向に搬送し、通帳２の搬送方向後端（排出方向後端）を挿排センサ８が検出すると、Ｓ２０にて、排出終了を判断し、搬送モータ２５を停止させ、一連の処理を終了する。
【００２３】
このような構成においては、通帳２を挿入方向に搬送している状態で磁気ヘッド９は磁気ストライプ５から記録情報を読み取る。従って、磁気記録情報の読み取りを通帳の搬送を停止させて行うものに比べて処理時間を短縮できる。
【００２４】
しかも、磁気ヘッド９による記録情報の読み取りとページマーク・印字ラインセンサ１０によるページマーク情報及び印字済み行数を読み取りは略同時的に行われ、両方の読み取り動作が同時に重なって進行する期間もある。従って、ページマーク情報及び印字済み行数を読み取りと磁気ストライプからの磁気記録情報の読み取りを全く別のタイミングで行い、しかも、磁気記録情報の読み取りを通帳の搬送を停止させて行うものに比べて、磁気ヘッド９による記録情報の読み取りとページマーク・印字ラインセンサ１０によるページマーク情報及び印字済み行数の読み取り処理に要する時間を極めて短くできる。
従って、挿排口３から挿入された通帳２が装置本体１内で一連の記帳処理を行って挿排口３から排出されるまでに要する処理時間を大幅に短縮できる。
【００２５】
なお、通帳として、磁気ストライプ５を横方向に設け、印字記録欄７を縦方向に設けた横形の通帳２を使用したものについて述べたが、使用する通帳は横形のものに限定されるものではなく、図４に示すような縦形の通帳３２を使用することもできる。この通帳３２は、図４の（ａ）に示すように、他方の面となる表紙の裏面側に磁気ストライプ３５を縦方向に設け、一方の面となる見開きページにページマーク情報３６を印刷すると共にデータの印字記録欄３７を縦方向に設けている。この通帳３２は挿排口３に対して磁気ストライプ３５が搬送方向に沿うように縦向きで、かつ見開きページが上向きになるようにして挿入される。
【００２６】
この場合においても、磁気ヘッド９が磁気ストライプ３５から磁気記録情報を読み取る期間とページマーク・印字ラインセンサ１０がページマーク情報３６や印字記録欄３７に印字されている行数を読み取る期間が一部重なるようになっている。
【００２７】
なお、この実施の形態では、挿入方向から見て磁気ヘッド９の下流側に位置して、ページマーク・印字ラインセンサ１０を固定配置したものについて述べたがこれに限定されるものではない。
例えば、図１に一点鎖線で示すように、挿入方向から見て磁気ヘッド９の上流側に位置して、ページマーク・印字ラインセンサ１０１を固定配置しても、また、磁気ヘッド９の上方にページマーク・印字ラインセンサ１０２を対向配置してもよい。
【００２８】
特に、磁気ヘッド９の上方にページマーク・印字ラインセンサ１０２を対向配置する場合は、磁気ヘッド９又はページマーク・印字ラインセンサ１０２のいずれかを上下動可能にしておき、搬送される通帳２に対してページマーク・印字ラインセンサ１０２を密着させるようにしてもよい。このようにすれば、通帳に対してページマーク・印字ラインセンサを密着させるための押圧ローラを省略することができる。
【００２９】
また、磁気ヘッド９の上方にページマーク・印字ラインセンサ１０２を対向配置するものにおいては、通帳が縦形の通帳３２の場合は、磁気ヘッド９が磁気ストライプ３５から磁気記録情報を読み取る期間とページマーク・印字ラインセンサ１０がページマーク情報３６や印字記録欄３７に印字されている行数を読み取る期間を充分に重ねることができ、より処理時間の短縮化を図ることができる。
【００３０】
なお、この実施の形態は記録媒体として冊子状記録媒体である通帳を使用したものについて述べたがこれに限定するものではなく、通帳以外の冊子状記録媒体でも、また、冊子状記録媒体以外の伝票のようなシート状の記録媒体でもよい。
【００３１】
【発明の効果】
以上詳述したように、本発明によれば、処理時間の短縮を図ることができる記録処理装置を提供できる。
【図面の簡単な説明】
【図１】本発明の一実施の形態を示す記録処理装置の概略構成図。
【図２】同実施の形態で使用する通帳の構成を示す図。
【図３】同実施の形態における制御部の構成を示すブロック図。
【図４】同実施の形態で使用する他の通帳の構成を示す図。
【図５】同実施の形態におけるマイクロプロセッサによる記帳処理を示す流れ図。
【符号の説明】
２…通帳、４…搬送路、５…磁気ストライプ、６…ページマーク情報、７…印字記録欄、９…磁気ヘッド、１０…ページマーク・印字ラインセンサ（光学センサ）、１３…印字ヘッド、２１…マイクロプロセッサ。
【図１】
2005049984.tif 000003
【図２】
2005049984.tif 000004
【図３】
2005049984.tif 000005
【図４】
2005049984.tif 000006
【図５】
2005049984.tif 000007